(57)【特許請求の範囲】
【請求項１】
皿状の窪みを有する排便受け部と、この排便受け部の後部に立ち上がった縦型溝状の排尿受け部とを有する便座本体部に、前記排便受け部の前部の半円周の縁部に前蓋部を設け、この前蓋部に連結した尻受け部に尻受け用の軟質材を被せてなる装着用便座において、
前記排便受け部に面した前記前蓋部の上面半円形縁部に突条部を形成し、この半円形縁部から前記排尿受け部の左右の２０〜３０ｍｍの幅の広い太股受け部にかけて液漏れ防止と褥瘡防止を兼ねた軟質材を密着して被せ、
前記液漏れ防止と褥瘡防止を兼ねた軟質材は、前記左右の太股受け部に上から被せるように下向きコ字形溝部に形成された左右の太股受けカバー部と、前記前蓋部の上面半円形縁部の突条部に上から被せるように下面にＶ字の溝部を有し、この前蓋部の上の軟質材にさらに前記尻受け用の軟質材を被せたことを特徴とする装着用便座。
【請求項２】
液漏れ防止と褥瘡防止を兼ねた軟質材は、硬度がＪＩＳＡで５〜１５度のシリコーンゴムであって、漏水を防止するとともに、褥瘡を防止しするものからなることを特徴とする請求項１記載の装着用便座。
【請求項３】
排便受け部の前部の半円周の縁部に前蓋部を被せて接合する際に、間にパッキンを介在したことを特徴とする請求項１又は２記載の装着用便座。
【発明の詳細な説明】
【技術分野】
【０００１】
本発明は、身動きの不自由な要介護者に、寝具の上などで、仰臥又は横臥状態で装着して排便するための装着用便座であって、長時間使用しても又は体位変換しても尿や洗浄水の漏れを防止し、かつ、褥瘡が生じにくい装着用便座に関するものである。
【背景技術】
【０００２】
本特許出願の発明者らは、介護施設の患者や寝たきり老人の要介護者の排尿・排便を自動で検知して排泄処理をするために、要介護者の股間におしめと共に装着する装着用便座をすでに提案した（特許文献１，２及び３）。
特許文献１に示すものは、図１２に示すとおりであり、特許文献２に記載のものを改良したものである。また、特許文献３に示すものも特許文献１に記載のものと略同様のものである。
この図１２において、１００：排泄補助具、１１０：本体部、１１１：可撓接続部、１１２：洗浄液供給ポート、１１３：温風供給ポート、１１４：排泄ポート、１１５：接続端子、１２０：前カップ部、１３０：臀部支持部、１３１：クッション層、１３２：窪み部、１４０：開口部、２００：排泄補助具着用カバー、２０１：前身頃領域、２０２：股下領域、２０３：後身頃領域、２０４：サイドフラップ、２０６：両ファスナタブ、２１０：開口部、２２０：トップシート、２３０：バックシート、２３１：剥離紙、２４０：面ファスナ、２５０：保持シート、２５１：面ファスナ、２５２：面ファスナ、２６０：立体ギャザー、２７０：防漏バリヤである。
【先行技術文献】
【特許文献】
【０００３】
【特許文献１】特開２００８−１４２２４３号公報
【特許文献２】特開２００６−１４１５９０号公報
【特許文献３】特許第５２５４４９８号公報
【発明の概要】
【発明が解決しようとする課題】
【０００４】
文献１乃至３に示したものには、次のような問題点を有していた。
（１）本体部１１０の背面の洗浄液供給ポート１１２、温風供給ポート１１３、排泄ポート１１４、接続端子１１５から本体部１１０の内部を経て開口部１１４の周縁部や下面に接続する構成が面倒で、本体部１１０の内部で液漏れや空気漏れが生じて排泄物の適切な洗浄効果が得られなかった。
（２）臀部支持部１３０に、クッション層１３１が設けられているが、本体部１１０に接触する太股の付け根などの股間部や臀部は、おむつが介在されるだけであり、尿や洗浄水の漏れが生じやすかった。特に、体位変換や脚の屈伸をしやすい人にとっては、局部的に隙間が生じ、液漏れや臭い漏れが生じやすかった。
【０００５】
本発明は、次のような目的を達成することのできる装着用便座を提供することにある。
（１）本体内部での空気漏れや液漏れがなく適切に排泄物を押し流すことのできるものであること。
（２）体位変換や脚の屈伸をしても液漏れや褥瘡が生じないものであること。
（３）排泄物を速やかにきれいに押し流すことができるものであること。
【課題を解決するための手段】
【０００６】
本発明は、皿状の窪みを有する排便受け部１４と、この排便受け部１４の後部に立ち上がった縦型溝状の排尿受け部１５とを有する便座本体部１０に、前記排便受け部１４の前部の半円周の縁部９１に前蓋部１２を設け、この前蓋部１２に尻受け部１３の軟質材５９を被せてなる装着用便座において、前記前蓋部１２の排便受け部１４に面した縁部から前記排尿受け部１５の太股受け部１６にかけて液漏れ防止と褥瘡防止を兼ねた軟質材９８を密着して被せたことを特徴とする。
【０００７】
液漏れ防止と褥瘡防止を兼ねた軟質材９８は、左右の下向きコ字形に形成された太股受けカバー部１６ａとこれらと連続するように下面にＶ字の溝部９８ｂを有し、前記太股受けカバー部５８ａを太股受け部１６に上から被せ、Ｖ字の溝部９８ｂを前記前蓋部１２の縁部に設けた突条部１２ａに密着して被せたことを特徴とする。
【０００８】
液漏れ防止と褥瘡防止を兼ねた軟質材９８は、硬度がＪＩＳＡで５〜１５度のシリコーンゴムであって、漏水を防止するとともに、褥瘡を防止しするものからなることを特徴とする。
【０００９】
排便受け部１４の前部の半円周の縁部９１に前蓋部１２を被せて接合する際に、間にパッキン９７ｂを介在したことを特徴とする。
【発明の効果】
【００１０】
本発明は、皿状の窪みを有する排便受け部と、この排便受け部の後部に立ち上がった縦型溝状の排尿受け部とを有する便座本体部に、前記排便受け部の前部の半円周の縁部に前蓋部を設け、この前蓋部に連結した尻受け部に尻受け用の軟質材を被せてなる装着用便座において、
前記排便受け部に面した前記前蓋部の上面半円形縁部に突条部を形成し、この半円形縁部から前記排尿受け部の左右の２０〜３０ｍｍの幅の広い太股受け部にかけて液漏れ防止と褥瘡防止を兼ねた軟質材を密着して被せ、
前記液漏れ防止と褥瘡防止を兼ねた軟質材は、前記左右の太股受け部に上から被せるように下向きコ字形溝部に形成された左右の太股受けカバー部と、前記前蓋部の上面半円形縁部の突条部に上から被せるように下面にＶ字の溝部を有し、この前蓋部の上の軟質材にさらに前記尻受け用の軟質材を被せたので次の作用効果を有する。
（１）兎角便座における尻と太股との接する部分に隙間が生じやすいが、液漏れ防止と褥瘡防止を兼ねた軟質材を密着して被せ、かつ、左右の太股受け部を２０〜３０ｍｍの幅広に形成することにより、この太股受け部分を軟質材で隙間をなくして液漏れを防止し、併せて褥瘡の発生を防止できる。
（２）液漏れ防止と褥瘡防止を兼ねた軟質材は、前記左右の太股受け部に上から被せるように下向きコ字形溝部に形成された左右の太股受けカバー部と、前記前蓋部の上面半円形縁部の突条部に上から被せるように下面にＶ字の溝部を有し、この前蓋部の上の軟質材にさらに前記尻受け用の軟質材を被せたので、排便受け部の前部の半円周の縁部から排尿受け部の太股受け部にかけて液漏れの生じやすい隙間を確実に防止できる。
【００１２】
請求項２記載の発明によれば、液漏れ防止と褥瘡防止を兼ねた軟質材は、硬度がＪＩＳＡで５〜１５度のシリコーンゴムであって、漏水を防止するとともに、褥瘡を防止しするものからなるので、この軟質材は、前蓋部の排便受け部に面した縁部から排尿受け部の太股受け部にかけて密着して液漏れ防止と褥瘡防止がより一層確実にできる。
【００１３】
請求項３記載の発明によれば、排便受け部の前部の半円周の縁部に前蓋部を被せて接合する際に、間にパッキンを介在したので、軟質材を介在していない排便受け部と前蓋部との硬質部材同士の接合が確実になり、軟質材の使用と合わせてより確実に液漏れを防止できる。
【図面の簡単な説明】
【００１４】
【図１】本発明に係る装着用便座の一実施例を示す縦断面図である。
【図２】図１における便座本体部１０の斜視図である。
【図３】図１における後カバー部１１の斜視図である。
【図４】空気供給機構の斜視図である。
【図５】図１における前蓋部１２の斜視図である。
【図６】組み立て後の図２におけるＡ−Ａ線断面図である。
【図７】液漏れ防止と褥瘡防止を兼ねた軟質材９８の上面から見た斜視図である。
【図８】液漏れ防止と褥瘡防止を兼ねた軟質材９８の背面から見た斜視図である。
【図９】尻受け部１３の斜視図である。
【図１０】（ａ）は、本発明の装着用便座に使用されるおむつ６６の内面からみた斜視図、（ｂ）は、（ａ）の外面からみた斜視図である。
【図１１】後カバー部の側面からみた一部切り欠いた側面図である。
【図１２】従来の装着用便座とおむつの斜視図である。
【発明を実施するための形態】
【００１５】
本発明は、皿状の窪みを有する排便受け部１４と、この排便受け部１４の後部に立ち上がった縦型溝状の排尿受け部１５とを有する便座本体部１０に、前記排便受け部１４の前部の半円周の縁部９１に前蓋部１２を設け、この前蓋部１２に尻受け部１３の軟質材５９を被せてなる装着用便座において、前記前蓋部１２の排便受け部１４に面した縁部から前記排尿受け部１５の太股受け部１６にかけて液漏れ防止と褥瘡防止を兼ねた軟質材９８を密着して被せる。
【００１６】
より具体的には、液漏れ防止と褥瘡防止を兼ねた軟質材９８は、左右の下向きコ字形の溝部５８ｂに形成された太股受けカバー部５８ａとこれらと連続するように下面にＶ字の溝部９８ｂを有し、前記太股受けカバー部５８ａを太股受け部１６に上から被せ、Ｖ字の溝部９８ｂを前記前蓋部１２の縁部に設けた突条部１２ａに密着して被せる。
【００１７】
前蓋部１２の排便受け部１４に面した縁部から前記排尿受け部１５の太股受け部１６が硬質の材料からなるものであっても、より密着性と褥瘡防止のために、液漏れ防止と褥瘡防止を兼ねた軟質材９８は、硬度がＪＩＳＡで５〜１５度のシリコーンゴムであって、漏水を防止するとともに、褥瘡を防止するものからなる。
【００１８】
排便受け部１４の前部の半円周の縁部９１に前蓋部１２を被せて接合する際に、間にパッキン９７ｂを介在することで、硬質部材同士の密着性をよくすることができる。
【実施例１】
【００１９】
本発明による装着用便座は、大まかに分けて図２に示す便座本体部１０と、図３に示す後カバー部１１と、図５に示す前蓋部１２と、図９に示す尻受け部１３とからなる。
前記便座本体部１０は、図２に示すように、直径が略１００ｍｍ程度の皿状の窪みを有する排便受け部１４と、この排便受け部１４から直角か直角よりわずかに後方に傾き、幅が略５０ｍｍ、高さが略１７０ｍｍ、深さが略２０ｍｍの縦型溝状の排尿受け部１５とからなる。
【００２０】
前記排便受け部１４は、前端から後端にやや傾斜しており、後端に連通して排便吸引孔１９となる筒部２６が一体に突出しており、この排便受け部１４の前端部には、主に肛門８５を洗浄するとともに、排便受け部１４の上面の大便８６と排尿受け部１５からの小便を流すための温水を噴射する洗浄水ノズル１７が設けられている。また、前記排便受け部１４の左右の縁部９１には、後述の導風溝部４８を下面から取り付けるためのそれぞれ弧状の導風長孔２５が開口し、この導風長孔２５の排便受け部１４側に空気を流すための段差８７が設けられている。前記導風長孔２５の先端部から前記排尿受け部１５の縁部９２に連続する部分にかけて２０〜３０ｍｍ程度の幅の広い太股受け部１６が両側にわずかに傾斜して設けられている。前記導風長孔２５から前方に突出して２個の組立舌片２１が設けられ、略中央に組立突起２２ａが突出している。前記排便受け部１４の背面には、図１に示すように配線板８４が設けられ、この配線板８４に搭載した１個の大便センサ２３が排便受け部１４の上面の略中央に露出し、４個の小便センサ２４が大便センサ２３の周りに露出して設けられている。
また、前記導風長孔２５の外側の半円周の縁部９１には、前記前蓋部１２と組み合せたときに液漏れ、空気漏れを防止するためにパッキン９７ａが貼着されている。
【００２１】
前記洗浄水ノズル１７の上端部には、図１に示すように、肛門と陰部を洗浄する上向き噴射ノズル４３が水平に対し４０〜５０度の角度で設けられ、また、側面部には、排便受け部１４の上面全体に噴射するように略１８０度の広角の水平噴射ノズル４４が設けられている。この洗浄水ノズル１７の下端部は、導水管４５に連結されている。
前記排尿受け部１５の略中間位置には、肛門と陰部を洗浄する洗浄水ノズル１８が設けられている。前記便座本体部１０の排便受け部１４と排尿受け部１５の背面には、後カバー部１１と連結するための組立突起２２aが数箇所に設けられている。
前記排便受け部１４の表面は、テフロン（登録商標）などの低摩擦材が塗布され、糞尿の付着を防止するとともに、流れをよくしている。
【００２２】
前記後カバー部１１は、図３に示すように、底面受け部２７と背面受け部２８と側壁部３１とによって前記便座本体部１０と似た形状となし、前記便座本体部１０の排便受け部１４と排尿受け部１５の背面から取り付けたとき、図１に示すように、排便受け部１４と底面受け部２７との間の底部と両側部に底面空隙部２９が形成され、排尿受け部１５と背面受け部２８との間に背面空隙部３０が形成される。この後カバー部１１の背面受け部２８には、図１に示すように、下から順に、ホース差し込み孔３２と送風管取り付け孔３３と洗浄水管取り付け孔３４とコネクタ取り付け孔３５が開口している。また、底面受け部２７と背面受け部２８の前記便座本体部１０の組立突起２２ａに対応した位置に組立突起２２ａが設けられ、前端部左右に組立突起３７を有する組立舌片３６が設けられている。この後カバー部１１における前記便座本体部１０と接合する前面全周囲に液漏れ、空気漏れの防止のためにパッキン９７ａが貼着されている。
【００２３】
前記便座本体部１０の筒部２６には、つぶれないが屈曲可能な排泄物吸引ホース５２が嵌め込まれ、結合バンド８３によって固定され、前記後カバー部１１のホース差し込み孔３２から突出し、装着用便座を装着したままで、腰をかがめて起き上がるのを容易にしている。
前記後カバー部１１の送風管取り付け孔３３には、送風管連結部材４９が取り付けられ、外部からの空気供給管５３に連結し、内部では、図４に示すような２本の空気送り管５６が取り付けられている。前記後カバー部１１の洗浄水管取り付け孔３４には、外部からの温水の送水管５４に連結し、内部では、洗浄水ノズル１８と導水管４５に連結した送水管連結部材５０が取り付けられている。前記洗浄水ノズル１８は、排尿受け部１５の略中央に露出して設けられ、排尿後の男性器や女性器を洗浄する。前記後カバー部１１のコネクタ取り付け孔３５には、電気コード５５を有するコネクタ５１が取り付けられ、電気信号の入出力、電源の供給等が行われる。
前記送風管連結部材４９と送水管連結部材５０とコネクタ５１は、後カバー部１１の背面受け部２８に固定的に取り付けてもよいし、また、公知のコネクタ機構により、着脱自在に取り付けるようにしてもよい。
【００２４】
前記送風管連結部材４９には、図４に示すように、二股の空気送り管５６が連結され、これらの空気送り管５６には、それぞれ導風溝部材４７が結合され、この導風溝部材４７には、上面に円弧状に導風溝部４８が開口している。前記空気送り管５６は、便座本体部１０と後カバー部１１との間に形成された背面空隙部３０から両側の底面空隙部２９を経て前記導風長孔２５の下面に密着して取り付けられる。前記空気送り管５６は、送風時に抵抗をなくし送風力を向上させるために、出来るだけ太いものが用いられる。
前記送水管連結部材５０に連結された導水管４５は、便座本体部１０と後カバー部１１との間に形成された背面空隙部３０から底面空隙部２９を経て図１に示すように、前記洗浄水ノズル１７の下端部に連結される。この洗浄水ノズル１７は、図１に示すように、約４０〜５０度の角度で洗浄の温水を上方へ噴射して主に肛門８５を洗浄する上向き噴射ノズル４３と、１８０の扇状に洗浄水をほぼ水平に噴射して排便受け部１４を洗浄する水平噴射ノズル４４が設けられている。
前記便座本体部１０の排便受け部１４の背面から大便センサ２３と小便センサ２４を取り付けた配線板８４が固定され、前記大便センサ２３は、排便受け部１４の略中央部上面に露出させ、この大便センサ２３の周りに前記４個の小便センサ２４が正面に露出して設けられている。
【００２５】
前記便座本体部１０の導風長孔２５の上に、前蓋部１２の両側先端部のほぞ４１を便座本体部１０のほぞ孔２０に差し込みつつパッキン９７ａを介在して液密に組み立てる。すると、この前蓋部１２には、背面中央のＵ字形の導風フィンと両側に３本ずつの導風フィンが設けられて送風路４６を構成し、図６に示すように、前記導風溝部４８と導風長孔２５の段差８７から噴出した空気を排便受け部１４の上面に送る。
前蓋部１２の中央には、ノズル逃げ凹部３８が形成されている。また、この前蓋部１２の上面半円形縁部に突条部１２ａが形成される。
【００２６】
前記後カバー部１１に、排泄物吸引ホース５２と空気供給管５３と送水管５４と電気コード５５を取り付け、また、便座本体部１０の排便受け部１４の背面に配線板８４、導風溝部材４７等を固定し、便座本体部１０の下面から後カバー部１１を嵌め込み、複数個所の組立突起２２とねじにより便座本体部１０と後カバー部１１を固定する。この便座本体部１０の組立舌片２１と後カバー部１１の組立舌片３６は、それぞれの組立突起２２に組立突起３７を嵌合して重ねた状態で、図９に示す弾性体からなる尻受け部１３の差込み溝６１に圧入し、図６に示すように組立突起２２をねじ孔６４に嵌合して一体化する。このとき、尻受け部１３の底部６３が前記後カバー部１１の底部に密着する。尻受け部１３は、弾性体からなるので、組立舌片２１と組立舌片３６は、差込み溝６１を広げて圧入すると、組立突起２２がねじ孔６４に嵌合して一体化する。このように便座本体部１０と後カバー部１１とを尻受け部１３の差込み溝６１に嵌合した後、便座本体部１０の上のほぞ孔２０に前蓋部１２のほぞ４１を差し込み導風長孔２５の上にパッキン９７ｂを介在して前蓋部１２を被せ、前蓋部１２の組み立て舌片９０を載せ凹部６２に載せる。前蓋部１２を被せた後、前蓋部１２のねじ孔６４にねじ６５をねじ込むと、便座本体部１０と後カバー部１１と前蓋部１２が尻受け部１３に一体に固定される。
【００２７】
次いで、図１に示すように、排尿受け部１５の前面縁部９２に褥瘡防止用の軟質材５７を嵌め込む。前記太股受け部１６と前蓋部１２の突条部１２ａに、図７及び図８に示す液漏れ防止と褥瘡防止兼用の軟質材９８を密着して被せる。この軟質材９８は、左右の下向きコ字形溝部５８ｂに形成された太股受けカバー部５８ａとこれらと連続するように下面にＶ字の溝部９８ｂを有する突条部９８ａを連続して形成してなり、太股受けカバー部５８ａの溝部５８ｂを太股受け部１６に上から被せ、Ｖ字の溝部９８ｂを前記前蓋部１２の突条部１２ａに密着して被せることにより、排便受け部１４からの漏水を防止するとともに、褥瘡を防止している。
前記尻受け部１３と前蓋部１２の上の軟質材９８にさらに軟質材５９を被せる。
前記軟質材５７と軟質材９８は、一体のものでもよい。
これらの軟質材５７、９８、５９は、おむつを介在して装着したとき、体圧が５０ｍｍＨｇ以下、さらに好ましくは、３２ｍｍＨｇ以下となるものが望ましいとされている。
これらのうち軟質材５７、９８、５９は、硬度がＪＩＳＡで５〜１５度のシリコーンゴムからなり、固定的に接着される。また、尻受け部１３の上面に取り付けられる軟質材５９は、硬度がアスカーＣで４〜１０度のゲル材からなり、尻受け部１３と軟質材５９の間に汚物等が侵入したとき剥がして清掃し易いように、粘着性を有するものであることが望ましい。また、前記軟質材５９は、仙骨が接触するので、尻受け部１３に仙骨逃げ凹部６０を形成することが望ましい。
【００２８】
以上のように構成された装着用便座は、図１０（ａ）（ｂ）に示すおむつ６６を用いて股間に装着する。
このおむつ６６の一例を説明する。
図１０（ａ）（ｂ）において、おむつ本体６７は、腰回り包み部６７ａと、腹回り包み部６７ｂと、これらより幅の狭い股間回り包み部６７ｃとが１枚の比較的薄い紙からなり、このおむつ本体６７の内側には、長方形のクッション材７６が貼着されている。前記股間回り包み部６７ｃの両側と前記腰回り包み部６７ａの端部略中央には、伸縮するギャザー７０が形成され、下面に漏れ防止ひだ７３が形成されてている。
このクッション材７６と股間回り包み部６７ｃを貫通して瓢箪型の排泄孔７４が切り抜かれ、この排泄孔７４の円形孔と直線切り込みの内側部分の貼着代７５は、裏面に剥離紙のついた接着層が形成され、図１１における前蓋部１２の導風板部３９と便座本体部１０の内壁部８８に接着固定される。
この排泄孔７４の両側には、２本ずつギャザーテープ７７が固着れ、内側のギャザーテープ７７の取り付け位置に沿って筒状に膨出した２本の男性器保持部８０が間隔を持って設けられている。
【００２９】
前記おむつ６６の外側面には、腰回り包み部６７ａの端部から排泄孔７４を包み込む大きさの吸湿作用を有する便座被覆布７８が設けられ、この便座被覆布７８の排泄孔７４を包み込む以外の部分の周囲は、腰回り包み部６７ａの下面に接着され、この便座被覆布７８と腰回り包み部６７ａとの重なり合う部分が差込み隙間７９を構成している。前記便座被覆布７８の排泄孔７４を包み込む部分の周縁部には、剥離紙のついた接着層が形成されている。また、前記排泄孔７４の近くの腹回り包み部６７ｂ側に臨ませた内側に男性器保持部８０が設けられ、外側に隙間保持テープ８１の一端部が接着され、この隙間保持テープ８１の他端部に剥離紙のついた接着層が形成されている。前記腰回り包み部６７ａの両側には、面ファスナー７２を有する固着片７１が設けられ、腹回り包み部６７ｂの面ファスナー７２に着脱自在に結合される。
【００３０】
以上のように構成された装着用便座を装着する順序を説明する。
（１）図１に示す装着用便座の尻受け部１３を、その先端部が図１０に示すおむつ６６の差込み隙間７９の内端部に突き当たるまで差し込む。すると、おむつ６６の排泄孔７４が排便受け部１４と一致する。このとき、洗浄水ノズル１７が排泄孔７４の切り欠き８９から露出する。この状態で、排泄孔７４の円形孔周縁の貼着代７５の剥離紙をはがして前蓋部１２の導風板部３９に貼り付け、また、排泄孔７４の直線部の貼着代７５の剥離紙をはがして排便受け部１４の内壁部８８と排尿受け部１５の内壁部に貼り付ける。
【００３１】
（２）おむつ６６を取り付けた装着用便座を患者等の股間にあてがう。このとき、患者等の臀部が尻受け部１３の軟質材５９の上に載るようにすると、肛門８５が排便受け部１４の大便センサ２３のほぼ真上に位置し、太股の根元部分が装着用便座の太股受け部１６に密着する。
【００３２】
（３）密着したら、腹回り包み部６７ｂを患者等の腹の上まで折り返す。このとき、患者等が男性の場合、男性器保持部８０の間に男性器を位置させて尿道が排尿受け部１５に正しく向くように位置させる。患者等が女性の場合、女性器は排尿受け部１５の洗浄水ノズル１８に略対峙する。
【００３３】
（４）患者等の腹の上から腹回り包み部６７ｂを巻き込み、この腹回り包み部６７ｂの両側からギャザー７０を伸ばしながら腰回り包み部６７ａを被せて固着片７１の面ファスナー７２を腹回り包み部６７ｂの面ファスナー７２に係止する。
【００３４】
（５）装着用便座の排便受け部１４と排尿受け部１５と患者等の泌尿器との間に適正な空間を形成して、糞尿が排泄孔７４の周りのおむつ６６に付着しないようにするため、隙間保持テープ８１を引き込んで、おむつ６６の外面を装着用便座の第１軟質材５７に密着させ、この隙間保持テープ８１を剥離紙を取り除いて後カバー部１１に貼り付け、更に、隙間保持テープ８１が剥がれないように、隙間保持テープ８１に交差して隙間保持テープ８２を接着する。おむつ６６には、排泄孔７４の両側に２本ずつの面ファスナー７２が形成され、更に股間回り包み部６７ｃの両側にギャザー７０が形成されているので、糞尿や洗浄水がおむつ６６から漏れることはほとんどない。
【００３５】
（６）しかし、おむつ６６と装着用便座のセットの仕方が不十分なため、排便受け部１４と排尿受け部１５の両側から漏れる恐れがあることを防止するため、おむつ６６の外面の便座被覆布７８で排便受け部１４の外側を包み込み、排泄孔７４の剥離紙を除いて便座本体部１０と後カバー部１１に隙間なく貼り付ける。便座被覆布７８は、防水と吸水の機能を持たせることにより、装着用便座の外部に漏れることから確実に防止する。
【００３６】
以上のようにした装着用便座をおむつと共に装着し、排便、排尿を大便センサ２３や小便センサ２４で感知すると、図示しない排泄物処理装置が駆動して装着用便器内の排便と排尿を吸引処理し、温水で洗浄し、温風で乾燥する。
【００３７】
前記実施例では、装着用便座を股間に装着して仰臥状態で排便や排尿をすることを前提として、前蓋部１２の導風フィン４０の角度を、中央部の送風量が４０％で左右部がそれぞれ３０％となるように設定した。
しかし、横臥状態で排便、排尿をする人もあるので、その場合には、前蓋部１２の導風フィンの角度を、中央部の送風量が３０％で左右部がそれぞれ３５％などのように、中央部よりも左右部の風量を大きくすることもできる。このように左右の風量を大きくすると、体位変換などの左右に横臥して使用する人に有効である。
また、横臥状態が片側だけ、例えば左側だけの人のためには、左側のフィンの角度だけを形成し、右側のフィンは、仰臥時の角度とすることもできる。右側に横臥する人の場合は、その逆とする。
なお、横臥状態や体位変換がしやすいように、後カバー部１１の底面部に丸みを持たせて寝具９３に食い込み易くしてもよい。
【００３８】
前記実施例の軟質材５７、９８，５９の他に、図１１に示すように、軟質材９３を、後カバー部１１における下面に取り付けることが望ましい。
さらに詳しくは、この軟質材９３は、前記軟質材５７、９８と同様、硬度がＪＩＳＡで５〜１５度のシリコーンゴムからなり、後カバー部１１における下面と、この下面から続く両側面の一部とを包むように固定的に接着される。前記後カバー部１１の下面における便座被覆布７８を貼着する接着代９６には、軟質材９３が取り付けないようにする。そして、この軟質材９３をおむつ６６の差込み隙間７９に差し込んだ後、剥離紙９４を剥がして接着層９５で後カバー部１１の下面と両側面に接着して便座本体部１０の側方からの尿や洗浄水の漏れを防止する。この第４軟質材９３を取り付けることにより、寝返りなどの体位変換をした場合にも確実に褥瘡を防止できる。
【符号の説明】
【００３９】
１０…便座本体部、１１…後カバー部、１２…前蓋部、１２ａ…突条部、１２ａ…突条部、１３…尻受け部、１４…排便受け部、１５…排尿受け部、１６…太股受け部、１７…洗浄水ノズル、１８…洗浄水ノズル、１９…排便吸引孔、２０…ほぞ孔、２１…組立舌片、２２，２２ａ…組立突起、２３…大便センサ、２４…小便センサ、２５…導風長孔、２６…筒部、２７…底面受け部、２８…背面受け部、２９…底面空隙部、３０…背面空隙部、３１…側壁部、３２…ホース差し込み孔、３３…送風管取り付け孔、３４…洗浄水管取り付け孔、３５…コネクタ取り付け孔、３６…組立舌片、３７…組立突起、３８…ノズル逃げ凹部、３９…導風板部、４１…ほぞ、４２…ねじ孔、４３…上向き噴射ノズル、４４…水平噴射ノズル、４５…導水管、４６…送風路、４７…導風溝部材、４９…送風管連結部材、５０…送水管連結部材、５１…コネクタ、５２…排泄物吸引ホース、５３…空気供給管、５４…送水管、５５…電気コード、５６…空気送り管、５７…軟質材、５８…軟質材、５９…軟質材、６０…仙骨逃げ凹部、６１…差込み溝、６２…載せ凹部、６３…底部、６４…ねじ孔、６５…ねじ、６６…おむつ、６７…おむつ本体、６７ａ…腰回り包み部６７ａ、６７ｂ…腹回り包み部６７ｂ、６７ｃ…股間回り包み部６７ｃ、７０…ギャザー、７１…固着片、７２…面ファスナー、７３…漏れ防止ひだ、７４…排泄孔、７５…貼着代、７６…クッション材、７７…ギャザーテープ、７８…便座被覆布、７９…差込み隙間、８０…男性器保持部、８１…隙間保持テープ、８２…隙間保持テープ、８３…結合バンド、８４…配線板、８５…肛門、８６…大便、８７…段差、８８…内壁部、８９…切り欠き、９０…組立舌片、９１…縁部、９２…縁部、９３…第４軟質材、９４…剥離紙、９５…接着層、９６…接着代、９７ａ、９７ｂ…パッキン、９８…軟質材、９８ａ…突条部、９８ｂ溝部。
【図１】
0005860107.tif 000002
【図２】
0005860107.tif 000003
【図３】
0005860107.tif 000004
【図４】
0005860107.tif 000005
【図５】
0005860107.tif 000006
【図６】
0005860107.tif 000007
【図７】
0005860107.tif 000008
【図８】
0005860107.tif 000009
【図９】
0005860107.tif 000010
【図１０】
0005860107.tif 000011
【図１１】
0005860107.tif 000012
【図１２】
0005860107.tif 000013